(57)【要約】【課題】横押しエアゾール容器用ボタンキャップの構造の簡素化と操作性アップを図る。【解決手段】キャップ部本体11の下端周縁部がエアゾール容器の上方周縁部に装着され、その底面略中央部にはエアゾール容器の上端に位置するバルブステムと接続する吐出部12が形成され、この吐出部12には流通路が形成され、この流通路の入口部23が前記バルブステムと接続し、その出口部が内容物の噴口26を形成し、この吐出部12の側面に前記キャップ部本体11に一体的に設けられた横押部から成るボタン部13を連結し、このボタン部13を吐出部12側に押圧することによりボタン部13がキャップ部本体11との接続部で回動して前記吐出部12の入口部23がバルブステムを押下して内容物を前記噴口26から吐出させることができる。更に、前記キャップ部本体11の下端部分14の周側面に横方向に突出する突出部を形成する。【選択図】図１
2018193113.tif 000002
【特許請求の範囲】
【請求項１】
エアゾール容器の上端部に設けられる内容物を吐出するためのボタンキャップであって、当該ボタン部がキャップ部本体の周側面に設けられた横押部から成り、この横押部をキャップ部本体の内部に押し込む操作により内容物が外部に吐出されるボタンキャップにおいて、
このキャップ部本体の下端周縁部がエアゾール容器の上端周縁部に装着され、その底面略中央部にはエアゾール容器の上端に位置するバルブステムと接続する吐出部が形成され、この吐出部には流通路が形成され、この流通路の入口部が前記バルブステムと接続し、その出口部が内容物の噴口を形成し、この吐出部の側面に前記キャップ部本体に一体的に設けられた横押部を連結し、この横押部を吐出部側に押圧することにより横押部のキャップ部本体との接続部で回動して前記吐出部の入口部がバルブステムを押下して内容物を前記噴口から吐出させることができ、
更に、前記キャップ部本体の下端部分の周側面に横方向に突出する突出部を形成したことを特徴とするエアゾール容器用ボタンキャップ。
【請求項２】
前記吐出部の噴口がキャップ部本体の天部から上方に向う、又は、キャップ部本体の周側面から斜め方向乃至横方向に向うように形成されていることを特徴とする請求項１に記載のエアゾール容器用ボタンキャップ。
【請求項３】
前記突出部が前記キャップ部本体に設けられた横押部と反対側の対向する位置に設けられていることを特徴とする請求項１又は２に記載のエアゾール容器用ボタンキャップ。
【請求項４】
前記突出部が上方に折曲する折曲部を有し、更にその後外側方向に向う湾曲折曲部を有していることを特徴とする請求項３に記載のエアゾール容器用ボタンキャップ。
【請求項５】
前記突出部がボタン部本体の下端部分の周側面の全体に設けられ、又は、前記横押部が設けられた部分を除く周側面の全体に設けられていることを特徴とする請求項１又は２に記載のエアゾール容器用ボタンキャップ。
【発明の詳細な説明】
【技術分野】
【０００１】
本発明は、ムース状、フォーム状又は霧状の内容物が吐出されるエアゾール容器の上端部に設けられるボタンとキャップとが一体的に形成されたボタンキャップの改良に関するものである。
【背景技術】
【０００２】
従来のこの種のエアゾール容器用ボタンキャップとしては、下記特許文献に記載のスプレー装置に係る発明を挙げることができる。
この従来例では、低コスト化を図ることができるスプレー構造を提供することを課題とする。
【０００３】
その構成は、キャップ外側の操作部（横押部）を押操作すると、レバー部がキャップに支持された軸部を中心に回動する。すると、係合部が噴出ノズルの自由端部をスプレー本体側へ変位させ、ノズルをスプレー本体側へ後退（押下）して薬剤を噴出することができる。
このように、操作ボタンを横押操作した際の操作力によってノズルを後退（押下）させることができるので、ノズルを軸方向に後退（押下）した際に薬剤を噴出する一般的なプッシュダウンタイプのバルブを備えたスプレー本体に使用することができる。
【先行技術文献】
【特許文献】
【０００４】
【特許文献１】特開２００８−１３６８８９号公報
【発明の概要】
【発明が解決しようとする課題】
【０００５】
上記の従来のボタンキャップにおいては、その構造がやや複雑で、更に構造を簡易に改良する余地が残されている。
また、横押ボタンの形式を採用しているために、その操作性を更に横押タイプのものとして改良する余地も残されている。
【０００６】
そこで、本発明においては、その構造をより簡易なものとして、より相応しくは一体成形も可能なものを提供することを課題とする。
また、横押ボタンの操作性を向上させるための構成の付加をもその課題とするものである。
【課題を解決するための手段】
【０００７】
上記課題を解決するために、本発明の第１のものは、エアゾール容器の上端部に設けられる内容物を吐出するためのボタンキャップであって、当該ボタン部がキャップ部本体の周側面に設けられた横押部から成り、この横押部をキャップ部本体の内部に押し込む操作により内容物が外部に吐出されるボタンキャップにおいて、このキャップ部本体の下端周縁部がエアゾール容器の上端周縁部に装着され、その底面略中央部にはエアゾール容器の上端に位置するバルブステムと接続する吐出部が形成され、この吐出部には流通路が形成され、この流通路の入口部が前記バルブステムと接続し、その出口部が内容物の噴口を形成し、この吐出部の側面に前記キャップ部本体に一体的に設けられた横押部を連結し、この横押部を吐出部側に押圧することにより横押部のキャップ部本体との接続部で回動して前記吐出部の入口部がバルブステムを押下して内容物を前記噴口から吐出させることができ、更に、前記キャップ部本体の下端部分の周側面に横方向に突出する突出部を形成したことを特徴とするエアゾール容器用ボタンキャップである。
【０００８】
本発明の第２のものは、上記第１の発明において、前記吐出部の噴口がキャップ部本体の天部から上方に向う、又は、キャップ部本体の周側面から斜め方向乃至横方向に向うように形成されていることを特徴とするエアゾール容器用ボタンキャップである。
【０００９】
本発明の第３のものは、上記第１又は第２の発明において、前記突出部が前記キャップ部本体に設けられた横押部と反対側の対向する位置に設けられていることを特徴とするエアゾール容器用ボタンキャップである。
【００１０】
本発明の第４のものにおいては、上記第３の発明において、前記突出部が上方に折曲する折曲部を有し、更にその後外側方向に向う湾曲折曲部を有していることを特徴とするエアゾール容器用ボタンキャップである。
【００１１】
本発明の第５のものにおいては、上記第１又は第２の発明において、前記突出部がボタン部本体の下端部分の周側面の全体に設けられ、又は、前記横押部が設けられた部分を除く周側面の全体に設けられていることを特徴とするエアゾール容器用ボタンキャップである。
【発明の効果】
【００１２】
本発明の第１のものにおいては、ボタン部が横押部からなり、キャップ部本体の下端周縁部がエアゾール容器の上方外周縁部に装着され、その底面略中央部にはエアゾール容器の上端に位置するバルブステムと接続する吐出部が形成され、この吐出部には流通路が形成され、この流通路の入口部が前記バルブステムと接続し、その出口部が内容物の噴口を形成し、この吐出部の側面に前記キャップ部本体に一体的に設けられた横押部を連結し、この横押部を吐出部側に押圧することにより横押部のキャップ部本体との接続部で回動して前記吐出部の入口部がバルブステムを押下して内容物を前記噴口から吐出させることができる。
【００１３】
このような構成を採用することにより、本発明においては、キャップ部本体、吐出部、及び、横押部から成るボタン部が一体的に形成され、一体成形が可能となり、構造簡易、製作容易、コスト安に貢献できる。
更に、前記キャップ部本体の下端部分の周側面に横方向に突出する突出部を形成したことを特徴とし、この突出部の下面に手指の例えば親指と中指を引っ掛けて、その間の人差指で前記横押部を押圧することができ、人差指の押圧動作を極めて容易に行うことができる。
【００１４】
本発明の第２のものにおいては、上記第１の発明において、前記吐出部の噴口がキャップ部本体の天部から上方に向う、又は、キャップ部本体の周側面から斜め方向乃至横方向に向うように形成されていることを限定したものである。
即ち、本発明に係る吐出部の吐出口は、上向きであっても、斜め向き乃至横向きであってもよいことを特定したものである。
【００１５】
本発明の第３のものにおいては、前記突出部が前記キャップ部本体に設けられた横押部と反対側の対向する位置に設けられていることを限定したものであり、この第３の発明以降において、突出部の形態を種々特定している。
この第３の発明では、この突出部が横押部の反対側の対向する位置に設けたことを限定している。
【００１６】
本発明の第４のものにおいては、上記第３の発明において、その突出部が上方に折曲する折曲部を有し、更にその後外側方向に向かう湾曲折曲部を有していることを特徴とするものであり、この湾曲折曲部に例えば手の中指を引っ掛けて使用することができる。
【００１７】
本発明の第５のものにおいては、上記第１又は第２の発明において、その突出部がボタン部本体の下端部分の周側面の全体に設けられ、又は、前記横押部が設けられた部分を除く周側面の全体に設けられていることを特徴とするものであり、この突出部により相応しく親指と中指が引っ掛かるように限定したものである。
【図面の簡単な説明】
【００１８】
【図１】本発明の第１実施形態に係るエアゾール容器用ボタンキャップを図示しており、その（Ａ）が前方斜視図、その（Ｂ）が後方斜視図、その（Ｃ）が側面図、その（Ｄ）が中央縦断面図である。
【図２】本発明の第２実施形態に係るエアゾール容器用ボタンキャップを図示しており、その（Ａ）が前方斜視図、その（Ｂ）が中央縦断面図である。
【図３】エアゾール容器の上端部に本発明の第１実施形態に係るボタンキャップを装着固定した状態を示し、その（Ａ）が前方斜視図、その（Ｂ）が側面図である。
【図４】エアゾール容器の上端部に本発明の第１実施形態に係るボタンキャップを装着固定した状態を示し、その（Ａ）が前方斜視図、その（Ｂ）が側面図である。
【図５】エアゾール容器の上端部に本発明の第１実施形態に係るボタンキャップを装着固定した状態を示し、その（Ａ）が前方斜視図、その（Ｂ）が側面図である。
【発明を実施するための形態】
【００１９】
以下、添付の図面と共に本発明の実施形態について説明する。
図１は、本発明の第１実施形態に係るエアゾール容器用ボタンキャップを図示しており、その（Ａ）が前方斜視図、その（Ｂ）が後方斜視図、その（Ｃ）が側面図、その（Ｄ）が中央縦断面図である。
この第１実施形態の図面においては、そのキャップ部本体の下端部分の周側面に設けるべき突出部を省略して図示している。内部構造を中心に図示したためである。
この突出部の形態については、別途図３以降で詳説する。
【００２０】
本発明に係るエアゾール容器用ボタンキャップ１０は、キャップ部本体１１と吐出部１２とボタン部１３とから成る。
【００２１】
キャップ部本体１１は、略円筒形状の下端部分１４の下端開口縁部１４ｅが図示省略したエアゾール容器の上端縁部と嵌合し、エアゾール容器の上端部に装着固定される。
嵌合の形態は、内側嵌合又は外側嵌合のいずれでもよい。
上記下端部分１４の上部にも開口部１５が設けられ、この開口部１５の両側から上方に壁部１６、１６が立設され、これらの壁部１６、１６の上端部は天部１７により連結されている。
【００２２】
上記キャップ部本体１１の開口部１５の後方側にはボタン部１３が立設されており、このボタン部１３が横押部を成し、このボタン部１３から前方に腕部１８を介して吐出部１２が連結し、つまり連接して形成されている。
【００２３】
この吐出部１２の内部には、エアゾール容器内の内容物を吐出するための流通路が形成され、この流通路の入口部２３がエアゾール容器のバルブステムと接続する。
この入口部２３から縦方向流通路２４が連続し、この縦方向流通路２４から今度は前方に折曲して横方向流通路２５が連続し、その出口部が噴口２６となる。この噴口２６が吐出部１２の吐出口となる。
【００２４】
以上の構成により、ボタン部１３である横押部をキャップ部本体１１の内部方向、換言すると前方方向に押圧すると、ボタン部１３の下方基端のキャップ部本体１１との接続部が回動して、吐出部１２が図１（Ｄ）において左方向に回動し、エアゾール容器のバルブステムを押下する。
【００２５】
このバルブステムが押下されることによりエアゾール容器内の内容物が前記バルブステムから吐出され、吐出部１２の縦方向流通路２４及び横方向流通路２５を流通して噴口２６から外界に吐出されるのである。
この噴口２６の内径は小さく形成され、エアゾール容器内の内容物を外界に霧状に噴霧出来るタイプのものである。
【００２６】
図２は、本発明の第２実施形態に係るエアゾール容器用ボタンキャップを図示しており、その（Ａ）が前方斜視図、その（Ｂ）が中央縦断面図である。
この図２においても、そのキャップ部本体の下端部分の周側面に設けるべき突出部を省略して図示している。
【００２７】
この第２実施形態は、上記第１実施形態とほぼ同一であり、唯一その吐出部１２の噴口部分の形態が異なるのみである。
即ち、この第２実施形態に係るボタンキャップ２０では、エアゾール容器内の内容物がフォーム状又はムース状に噴射されるタイプ用のものである。
【００２８】
この第２実施形態の吐出部１２は、バルブステムに接続する入口部２３から上方に縦方向流通路２４が設けられ、この縦方向流通路２４から前方に折曲するように横方向流通路２５が形成され、この横方向流通路２５は、前記縦方向流通路２４よりもその内径が大きく形成され、その内径のまま出口部まで形成されて、その出口部が噴口３６となる。
【００２９】
即ち、前記第１実施形態では、エアゾール容器内の内容物が霧状に噴霧されるために、上記噴口が小径に絞られていたが、この第２実施形態においては、吐出される形態がフォーム状又はムース状であるために、その横方向流通路２５及び噴口３６の内径が縦方向流通路２４の内径よりも大きく形成されているのである。
その他の構成は、上記第１実施形態と同じである。
【００３０】
以下、図３以降で本発明に係るボタンキャップのキャップ部本体１１の下端部分１４の周側面に形成される突出部について説明する。
この突出部は、上記第１又は第２の何れの実施形態にも適用できるものである。
【００３１】
図３は、エアゾール容器の上端部に本発明の第１実施形態に係るボタンキャップを装着固定した状態を示し、その（Ａ）が前方斜視図、その（Ｂ）が側面図である。
この図から良く解る通り、本発明に係るボタンキャップ１０のキャップ部本体１１の下端部分１４の前方部位に横方向に突出する突出部３０が形成されている。
【００３２】
この突出部３０は、吐出部１２の噴口２６の下方の位置で、丁度キャップ部本体１１の上方の両側の壁部１６、１６の間部分に形成されたものである。
この突出部３０の上端面は、平面に形成し、この上端面の先端縁部から下方に向ってその突出長さがゼロになるまで傾斜状に形成されたものである。
【００３３】
以上の構成により、使用者は、自己の手の中指を上記突出部３０の下面に引っ掛け、人差指にて横押部であるボタン部１３を良好に押圧することができる。或いは、この突出部３０の下面に人差指を引っ掛け、親指によりボタン部１３を押圧することもできる。
【００３４】
図４は、上記図３と同様に、エアゾール容器の上端部に本発明の第１実施形態に係るボタンキャップを装着固定した状態を示し、その（Ａ）が前方斜視図、その（Ｂ）が側面図である。
この図から良く解る通り、本発明に係るボタンキャップ１０のキャップ部本体１１の下端部分１４の前方部位に横方向に突出する突出部３２が形成されている。
【００３５】
この突出部３２は、上記図３に示した突出部３０と同様に、吐出部１２の噴口２６の下方の位置で、丁度キャップ部本体１１の上方の両側の壁部１６、１６の間部分に形成されている。
この突出部３２は、薄い板状のものから成り、キャップ部本体１１の下方部分１４から横方向に少し延長し、その後上方に折曲し、上方の湾曲折曲部３２ｗを経て、略水平に外側に延長する。
【００３６】
この湾曲折曲部３２ｗに中指又は人差指を引っ掛けて使用することができる。
即ち、エアゾール容器Ｃを手で把持して、中指或いは人差指を上記突出部３２の湾曲折曲部３２ｗに引っ掛け、人差指或いは親指にて横押部であるボタン部１３を押圧することができる。
【００３７】
図５は、上記と同様に、エアゾール容器の上端部に本発明の第１実施形態に係るボタンキャップを装着固定した状態を示し、その（Ａ）が前方斜視図、その（Ｂ）が側面図である。
この図から良く解る通り、本発明に係るボタンキャップ１０のキャップ部本体１１の下端部分１４の周側面の全周に渡り横方向に（鍔状に）突出する突出部３４が形成されている。
【００３８】
この突出部３４は、本発明に係るボタンキャップ１０のキャップ部本体１１の下端部分１４の周側面の全周に渡り、横方向に鍔状に形成されているものである。
この突出部３４の下面に手の親指と中指を引っ掛け、横押部であるボタン部１３を人差指で押圧することができる。
即ち、エアゾール容器Ｃを手で把持して、親指と中指の上面を上記突出部３４の下面に沿わせ、人差指にて横押部であるボタン部１３を押圧することができるのである。
或いは、エアゾール容器Ｃを手で把持して、親指にてボタン部１３を押圧することもできる。
【００３９】
この突出部３４の場合、ボタン部１３の下方部分に該当する部分を切り欠いて、ボタン部１３の下方部分にはこの突出部を設けずに、それ以外の下端部分１４の周側面の全体にこの突出部を設けて実施することもできる。
これにより、人差指によるボタン部１３の押圧操作がより容易となる。
【００４０】
以上、実施形態について説明したが、本発明においては以下の通り種々設計変更することが可能である。
本発明に係るエアゾール容器用ボタンキャップにおいては、上記図１に示した第１実施形態及び第２実施形態のそれぞれに上記図３乃至図５に図示した突出部を適用して各種のタイプのボタンキャップを製作することができる。
【００４１】
そして、図３乃至図５に図示した突出部は単なる例示であって、この突出部の形態は適宜必要に応じて設計変更することができる。
要するに、ボタンキャップのキャップ部の下端部分の周側面に横方向に延長する突出部を形成し、
この突出部の下面に使用者の手の指が引っ掛かるように形成できればよいのである。
【００４２】
従って、この突出部を設ける位置は、キャップ部本体の下端部分の周側面の全体又はその一部分であってもよいのであり、この突出部の数も１つのみあってもよく、２つ以上であってもよい。
横方向の突出長さも自由に設計することができる。要は、手の指が引っ掛かることができればよいのである。
【００４３】
次に、吐出部の形態であるが、上記実施形態では、鉤型に、つまり、バルブステムと接続して上方に延長し、その後横方向に折曲する形態のものを例示したが、この吐出部は、上向きに吐出する形態を採用することもできる。
【００４４】
上向きに吐出させるためには、この吐出部の内部に形成する流通路は、上向きの縦方向流通路のみとすればよく、そのまま筒状の吐出部として形成すればよい。
そして、この場合には、キャップ部本体の壁部の上端部を掛け渡す天部が不要となり、壁部はボタン部の前方で連続させる形態とすればよい。
【００４５】
つまり、キャップ部本体の形態は、その全体を筒体形状とし、その周側面の一部を切り欠いて、その部分にボタン部を設けて、このボタン部と吐出部を連結するように形成すればよいのである。
その他の本発明に係るボタンキャップのサイズや形状等は、必要に応じて適宜設計変更することができる。
【００４６】
キャップ部本体の下端開口部の内周縁部の全体又はその一部に突条部を形成してエアゾール容器の上端縁部と良好に冠着又は嵌合できるように構成することも望ましい。
上記第１実施形態では、吐出部の形態として、上方部分で前方に折曲するタイプのものを例示したが、この折曲角度も９０度でなく、それよりも少し大きい角度に設定し、ボタン部を横方向に押圧して吐出状態としたときに、先端の噴口が略水平方向となるように設計することも極めて望ましいことである。
【００４７】
以上、本発明においては、その構造をより簡易なものとして製作容易、コスト減を実現し、更に、そのキャップ部本体の下端部分の周側面に各種形態の突出部を設けることにより、使用者が当該突出部に指を引っ掛け、横押部からなるボタン部の操作が極めて便利なエアゾール容器用ボタンキャップを提供することができたものである。
【符号の説明】
【００４８】
１０、２０  エアゾール容器用ボタンキャップ
１１  キャップ部本体
１２  吐出部
１３  ボタン部
１４  下端部分
１４ｅ  下端開口縁部
１５  開口部
１６  壁部
１７  天部
１８  腕部
２３  入口部
２４  縦方向流通路
２５  横方向流通路
２６、３６  噴口
３０、３２、３４  突出部
３２ｗ  湾曲折曲部
【図１】
2018193113.tif 000003
【図２】
2018193113.tif 000004
【図３】
2018193113.tif 000005
【図４】
2018193113.tif 000006
【図５】
2018193113.tif 000007